(57)【要約】【課題】宣伝効果の高い缶用ラベルを提供する。【解決手段】缶用ラベルは、缶に取り付けられるものである。缶２の上蓋２１を覆う蓋部５を備える。蓋部５の中央部に起倒自在な起立部５１が形成される。【選択図】図１
2015222374.tif 000002
【特許請求の範囲】
【請求項１】
缶に取り付けられる缶用ラベルであって、前記缶の上蓋を覆う蓋部を備え、該蓋部の外周部で囲まれた部分に起倒可能な起立部が形成されたことを特徴とする缶用ラベル。
【請求項２】
前記起立部は、その周縁部の一部のみが前記蓋部の外周部に接続され、該接続部分を境にして前記起立部が折曲可能になっていることを特徴とする請求項１に記載の缶用ラベル。
【発明の詳細な説明】
【技術分野】
【０００１】
本発明は、缶の上に取り付けて用いられる缶用ラベルに関する。
【背景技術】
【０００２】
特許文献１には、販売促進用の缶用ラベルが開示されている。この缶用ラベルは、缶の上蓋を覆う領域より外側に切込線を介して折曲領域が形成されており、折曲領域から内側に突出した爪部分を缶の上蓋の周縁部の外側に引っ掛けることで、缶に取り付けられる。
【先行技術文献】
【特許文献】
【０００３】
【特許文献１】特開２００５−１０７４６９号公報
【発明の概要】
【発明が解決しようとする課題】
【０００４】
特許文献１に開示される缶用ラベルは、缶の上蓋を覆う領域に付された販売情報によって、缶の宣伝を行うことができる。ところが、この上蓋を覆う領域は、横から見たときに見え難く、宣伝効果が高くない。また、この領域は、缶の上蓋と略平行に配置されるため、缶と一体的に見えやすくて心理的に強い印象を与え難く、この点でも宣伝効果が高くない。
【０００５】
本発明は前記事情に鑑みてなされたものであって、より宣伝効果の高い缶用ラベルを提供することを課題とするものである。
【課題を解決するための手段】
【０００６】
上記課題を解決するために本発明の缶用ラベルは、前記缶に取り付けられる缶用ラベルであって、缶の上蓋を覆う蓋部を備え、該蓋部の外周部で囲まれた部分に起倒可能な起立部が形成されたことを特徴とする。
【０００７】
また、前記起立部は、その周縁部の一部のみが前記蓋部の外周部に接続され、該接続部分を境にして前記起立部が折曲可能になっていることが好ましい。
【発明の効果】
【０００８】
本発明にあっては、起立部を倒した姿勢と起立部を起立させた姿勢のいずれかを選択して販売情報を表示できる。また、起立部を起立させたときには、起立部が横から見えやすくなる。加えて、このように起立させた起立部は目立ちやすく、また、起立部が缶から上方に突出した立体的な外観となって、消費者に対して強い印象を与える。このため、本発明の缶用ラベルにあっては、高い宣伝効果を得ることができる。
【図面の簡単な説明】
【０００９】
【図１】第１実施形態の一例の缶用ラベルの展開図である。
【図２】第１実施形態の一例の缶用ラベルの使用状態を示す斜視図である。
【図３】第１実施形態の他例の缶用ラベルの展開図である。
【図４】第２実施形態の缶用ラベルの展開図である。
【図５】第２実施形態の缶用ラベルの使用状態を示す斜視図である。
【図６】第２実施形態の缶用ラベルを取り付けた缶を梱包箱で梱包した状態を示した断面図である。
【発明を実施するための形態】
【００１０】
以下、添付図面に基づいて本発明の実施形態につき説明する。
【００１１】
（第１実施形態）
本実施形態の一例の缶用ラベル１は、図２に示すように、缶２に載せた状態で取り付けられて用いられる。
【００１２】
缶２は縦に長い円筒状の飲料缶である。缶２は、缶胴２０、上蓋２１、及び底蓋（不図示）を備えている。缶胴２０と上蓋２１は、略寸胴な缶胴２０の上縁部を上蓋２１の周縁部２１１と共に巻き締めることで接続されている。上蓋２１の底部２１２には、飲み口を閉塞する閉塞部２１０が設けられている。上蓋２１の周縁部２１１は底部２１２よりも上方に突出している。なお、缶２は、２ピース缶であってもよいし、３ピース缶であってもよい。缶２が２ピース缶の場合、缶胴２０と底蓋は一体となる。缶２が３ピース缶の場合、缶胴２０と底蓋は別体となる。
【００１３】
次に缶用ラベル１について説明する。なお、以下では、特に記載する場合を除き、図１に示すように展開状態にした缶用ラベル１について説明する。缶用ラベル１は、缶２の上蓋２１よりも大きな一枚の板紙に、販売情報（商品名や商品説明等の商品情報や、懸賞案内等）を付すと共に、切込み３や折溝４を設けたものである。
【００１４】
缶用ラベル１は、缶２の上蓋２１の上側を覆う蓋部５と、蓋部５の外周縁に接続された複数の係止部６とを備えている。本実施形態では、蓋部５が平面視略正方形状に形成され、蓋部５の各辺に係止部６が接続されている。
【００１５】
各係止部６は、蓋部５の対応する辺の全長に亘って形成されている。蓋部５とこの外側に位置する各係止部６の間には、第１切込み３１が形成されている。各第１切込み３１は、蓋部５と係止部６の境界部分における両端部を除く部分（略正方形状の蓋部５の辺の両端部を除く部分）に亘って形成されている。各係止部６は長さ方向の両端部のみが蓋部５に接続されている。
【００１６】
各第１切込み３１は、略円弧状に形成されている。各第１切込み３１の円弧の半径は、缶２の上蓋２１の半径と略同じである。各第１切込み３１の円弧の中心は、蓋部５の中心と一致している。各第１切込み３１の長さ方向の中央部は、蓋部５側に膨らんだ円弧状である。これに対応して、各係止部６の第１切込み３１側に臨む縁部の中央部には、蓋部５側に突出した係止突部６０が形成されている。各第１切込み３１の長さ方向の両端部は、蓋部５側に膨らんだ略弧状である。
【００１７】
各係止部６の長さ方向の両端部と蓋部５の境界部分には、各係止部６を蓋部５に対して山折りするための第１折溝４１が形成されている。各係止部６の両側の第１折溝４１は、平面視で当該係止部６の長さ方向と平行な直線状であり、同一直線上に位置している。各第１折溝４１は、一端が第１切込み３１の一端に至り、他端が略正方形状の蓋部５の頂点に至っている。
【００１８】
図２に示すように缶用ラベル１を缶２に取り付けるには、蓋部５の外周部５０を上蓋２１の周縁部２１１上に載せる。そして、各係止部６を両側の第１折溝４１を境にして蓋部５から下方に突出する方向に折り曲げて、各係止部６の係止突部６０を上蓋２１の周縁部２１１の下側に係止する。これにより、缶２の上蓋２１の周縁部２１１が蓋部５の外周部５０と各係止部６の係止突部６０とで上下に挟まれて、缶用ラベル１が缶２に固定される。
【００１９】
蓋部５は、図１に示すように、外周部５０と、外周部５０で囲まれた起立部５１とで構成されている。外周部５０は、平面視略円環状の環状部分５００と、環状部分５００の周方向の４か所から外方に突出して略正方形状の蓋部５の角部を構成する突出部分５０１とで構成されている。
【００２０】
起立部５１は、環状部分５００で囲まれた部分の全体に亘っており、蓋部５の中央部を構成する。起立部５１は、外周部５０に対して起倒可能である。
【００２１】
起立部５１は、環状部分５００で囲まれた領域における大部分を占める表示部５１０と、表示部５１０から突出した押込部５１１とで構成されている。
【００２２】
起立部５１を倒して倒伏姿勢にしたとき、起立部５１はその全体が外周部５０と同レベルに位置して面一となり、環状部分５００の内側に形成された開口部１０（図２参照）を閉塞する。また、起立部５１を図２に示すように外周部５０に対して起立させた起立姿勢にしたとき、表示部５１０は外周部５０から上方に突出し、押込部５１１は外周部５０よりも下方に突出する。
【００２３】
以下、起立部５１を起立姿勢にした場合に、起立部５１の表面（倒伏姿勢のときの上面）が向く方向を前方、起立部５１の裏面（倒伏姿勢のときの下面）が向く方向を後方として説明する。起立部５１は、一端部（前端部）が環状部分５００の前側の内縁部に接続されている。
【００２４】
具体的には、図１に示すように、表示部５１０の周縁部のうち、起立部５１を起立姿勢にしたときにおける下側の縁部を第１縁部５１２とし、第１縁部５１２以外の縁部を第２縁部５１３とすると、起立部５１は第１縁部５１２の両側部分のみが環状部分５００に接続されている。また、押込部５１１は第１縁部５１２の長さ方向の中央部から突出している。
【００２５】
表示部５１０の第２縁部５１３は、押込部５１１側に開口する略Ｃ字状の第２切込み３２を介して環状部分５００と分離されている。缶用ラベル１を缶２に取り付けたとき、表示部５１０の第２縁部５１３の長さ方向の中央部を除く部分は、平面視で缶２の上蓋２１の周縁部２１１の内側に沿って配置される。
【００２６】
押込部５１１は、平面視矩形状に形成されている。押込部５１１の表示部５１０との接続部分を除く三辺で構成される縁部は、平面視で表示部５１０側に開口したコ字状の第３切込み３３を介して環状部分５００と分離されている。
【００２７】
表示部５１０の第１縁部５１２の両側部分と環状部分５００の境界部分には、起立部５１を外周部５０に対して垂直に谷折りするための第２折溝４２が形成されている。平面視で各第２折溝４２は直線状であり、第２切込み３２の両端を結ぶ直線と重複する。一方の第２折溝４２は、一端が第２切込み３２の一端に至り且つ他端が第３切込み３３の一端に至り、他方の第２折溝４２は、一端が第２切込み３２の他端に至り且つ他端が第３切込み３３の他端に至っている。
【００２８】
利用者は、起立部５１を両第２折溝４２を境にして外周部５０に対して曲げ起こすことで起立姿勢にでき、曲げ戻すことで倒伏姿勢にできる。倒伏姿勢にある起立部５１を起立姿勢にする際は、押込部５１１を下方に押し込むことで、押込部５１１と一体の表示部５１０を簡単に起こすことができる。
【００２９】
第２切込み３２の長さ方向の中央部は、起立部５１側に向かって膨らんだ円弧状に曲がっている。これに対応して、表示部５１０の第２縁部５１３の長さ方向の中央部には、環状部分５００と反対側に凹んだ凹部５１４が形成されている。凹部５１４は起立部５１の後端部に位置し、起立部５１を外周部５０に対して折り曲げる際に指を掛ける部分となる。
【００３０】
図示は省略するが、起立部５１の両面、あるいは起立姿勢としたときの起立部５１の前面又は後面のうちの一方には、販売情報が付される。この販売情報は例えば印刷によって起立部５１に付される。このため、起立部５１は販売情報を表示する部分となっている。なお、缶用ラベル１の販売情報は、起立部５１にのみ付されてもよいし、起立部５１と起立部５１以外の箇所の両方に付されてもよい。また、販売情報は、シール等、印刷以外の手段により付されてもよい。
【００３１】
以上説明した本実施形態の缶用ラベル１は、缶２の上蓋２１を覆う蓋部５と、蓋部５の外側に第１切込み３１を介して位置して第１切込み３１に臨む縁部が上蓋２１の周縁部２１１に係止される係止部６とを備えている。この缶用ラベル１は、係止部６を上蓋２１の周縁部に係止して缶２に取り付けることができる。そして、この缶用ラベル１の蓋部５の外周部５０で囲まれた部分には、起倒可能な起立部５１が形成されている。このため、利用者は、缶用ラベル１を缶２に取り付けて利用するときには、起立部５１を倒した倒伏姿勢と起立部５１を起立させた起立姿勢のいずれかを選択して販売情報を表示できる。特に、起立部５１を起立姿勢にしたときには、起立部５１が横から見えやすくなり、また、起立部５１が目立ちやすくなる。また、起立部５１が缶２から上方に突出した立体的な外観となって、消費者に対して強い印象を与える。従って、本実施形態の缶用ラベル１は、高い宣伝効果を得ることができる。
【００３２】
また、本実施形態の起立部５１は、その縁部の周方向の一部のみが蓋部５の外周部５０に接続され、該接続部分を境にして起立部５１が折曲可能になっている。このため、起倒自在な起立部５１を有する缶用ラベル１を簡易構造として簡単に製造することができる。
【００３３】
なお、本実施形態の各係止部６は蓋部５からの突出長さが同じであるが、図３に示すように、任意の係止部６の蓋部５からの突出長さを他の係止部６よりも長くしてもよい。このようにすることで、販売情報を表示する表示部分の面積が大きくなる。なお、図３に示す缶用ラベル１は、起立部５１を起立姿勢にしたときにおいて起立部５１の表面側に位置する係止部６が他の係止部６よりも大きく突出している。
【００３４】
また、本実施形態では、係止部６を蓋部５の四辺に設けたが、蓋部５の対向する２辺にのみ形成してもよい。また、係止部６は、例えば蓋部５の周方向に長く缶２に係止される部分が長いもの等にあっては、蓋部５に一つだけ形成されるものであってもよい。また、切込み３や折溝４の形状や数等は適宜変更してもよい。また、本発明の缶用ラベル１は、飲料缶以外の飲料缶以外の従来から知られている缶２に用いることも可能である。
【００３５】
（第２実施形態）
次に第１実施形態と異なる第２実施形態について説明する。なお、以下の説明及び以下の説明で用いる図面では、第１実施形態と共通する要素については同一の名称に同一の符号を付す。また、以下の説明では第１実施形態と異なる点について説明し、第１実施形態と共通する点については説明を省略する。
【００３６】
図４に本実施形態の缶用ラベル１の展開図を示し、図５に本実施形態の缶用ラベル１を缶２に取り付けた使用状態を示す。
【００３７】
図４に示すように、缶用ラベル１の蓋部５が備える外周部５０は、円弧状部分５０２、前側半円状部分５０３、及び突出部分５０１で構成されている。
【００３８】
円弧状部分５０２は、平面視形状が、中心角が１８０°を超えて後方に開口した略円弧状（略Ｃ字状）に形成されている。前側半円状部分５０３は、円弧状部分５０２の前半部の内側領域に亘っており、平面視形状が半円状である。突出部分５０１は第１実施形態の突出部分５０１と共通し、円弧状部分５０２の周方向の４か所から外方に向かって突出している。
【００３９】
起立部５１は、後側半円状部分５１５と突出片部５１６とで構成されている。後側半円状部分５１５は、円弧状部分５０２の後半部の内側領域に亘っており、平面視形状が略半円状である。後側半円状部分５１５は前側半円状部分５０３と同心の半円状に形成されており、後側半円状部分５１５と前側半円状部分５０３とで平面視円形となる。
【００４０】
突出片部５１６は、後側半円状部分５１５の後端部から後方に向かって突出し、円弧状部分５０２の長さ方向の両端部の間の領域に亘っている。
【００４１】
起立部５１の周縁部は、後側半円状部分５１５の周縁部と、突出片部５１６の周縁部とで構成されている。後側半円状部分５１５の前縁部は、前側半円状部分５０３の後縁に接続されている。起立部５１は、後側半円状部分５１５の前縁部のみが外周部５０に対して接続されている。
【００４２】
以下、図４において矢印Ｄ１に示す方向を左方、矢印Ｄ２に示す方向を右方として説明する。後側半円状部分５１５の左側縁部と、これに連続する突出片部５１６の左側縁部は、切込み３４（以下、第４切込み３４と記載する）を介して円弧状部分５０２の左側後部と分離されている。後側半円状部分５１５の右側縁部と、これに連続する突出片部５１６の右側縁部は、切込み３５（以下、第５切込み３５と記載する）を介して円弧状部分５０２の右側後部と分離されている。突出片部５１６の後縁部は、後側の第１切込み３１を介して、後側の係止部６と分離されている。突出片部５１６の後縁部の中央部には、後側の第１切込み３１の中央部に対応して、前側に向かって凹んだ凹部５１７が形成されている。凹部５１７は、起立部５１を外周部５０に対して折り曲げる際に指を掛ける部分となる。
【００４３】
後側半円状部分５１５と前側半円状部分５０３の境界部分には、起立部５１を後側半円状部分５１５に対して谷折りするための折溝４３（以下、第３折溝４３と記載する）が形成されている。第３折溝４３は、平面視形状が後側に向かって膨らんだ略円弧状に形成されている。
【００４４】
第３折溝４３の一端は第４切込み３４の前端部に至り、第３折溝の他端は第５切込み３５の前端部に至っている。なお、本実施形態の第３折溝４３の長さ方向の両端部は、起立部５１の外側に向かって膨らんだ弧状であるが、第３折溝４３は全長に亘って後側に向かって膨らんだ完全な円弧状であっても構わない。
【００４５】
起立部５１は、前側半円状部分５０３に対して、第３折溝４３を境にして上側に折り曲げることで、図５に示すように外周部５０から上方に突出した起立姿勢にできる。
【００４６】
また、本実施形態の缶用ラベル１は、外周部５０と起立部５１の境界に位置する第３折溝４３が、平面視で後方に膨らんだ弧状部分を有している。このため、起立部５１を外周部５０から真上に突出する起立姿勢にしたとき、起立部５１は平面視円弧状となる。従って、起立部５１を外周部５０から真上に突出する起立姿勢よりもさらに前側に倒したとき（すなわち、起立部５１を第３折溝４３を境に平面視で第３折溝４３よりも前側に位置するところまで曲げたとき）、起立部５１が弾性変形して前側に撓むような形状になる。よって、例えば図６に示すように、缶用ラベル１を取り付けた缶２を、起立部５１を梱包箱７の上面部７０によって起立姿勢よりも前側に倒した状態で梱包箱７に収め、搬送後に梱包箱７の上面部７０を開いたときには、起立部５１は自身の復元力によって外周部５０から真上に突出した図５に示す起立姿勢まで自然に起き上がる。このため、搬送後において速やかに起立部５１を起立姿勢にできる。
【００４７】
なお、前記のように缶用ラベル１を取り付けた缶２を梱包箱７を用いて搬送するとき、缶２は、図６に示すように上蓋２１の底部２１２が周縁部２１１よりも下方に凹んだものであることが好ましい。この場合、本実施形態の缶用ラベル１を缶２に取り付けたときに、外周部５０と上蓋２１の底部２１２の間に隙間８０が形成される。この隙間８０は、梱包箱７の上面部７０により起立部５１が下方に押し込まれたときに、起立部５１及び外周部５０の下方への変形を許容する。このため、起立部５１は外周部５０に対して折り癖が付き難くなり、起立部５１は梱包箱７を開いたときに起立姿勢に復帰しやすくなる。
【００４８】
また、本実施形態の缶用ラベル１は、図４に示すように、円弧状部分５０２の前側半部と、この内側に配置される前側半円状部分５０３との境界部分に、部分的に切込み３６（以下、第６切込み３６と記載する）が形成されている。第６切込み３６は、第４切込み３４及び第５切込み３５と同心の円弧状に形成されており、第４切込み３４、第５切込み３５、及び第６切込み３６は同一円上に形成されている。これら第４切込み３４、第５切込み３５、及び第６切込み３６に囲まれた部分には、缶２の底部を嵌め込めるようになっている。このため、缶２に取り付けた缶用ラベル１の第４切込み３４、第５切込み３５、及び第６切込み３６に囲まれた部分に、上段の缶（不図示）を嵌め込んで安定した状態で載置できる。
【符号の説明】
【００４９】
１  缶用ラベル
２  缶
５  蓋部
２１  上蓋
５１  起立部
【図１】
2015222374.tif 000003
【図２】
2015222374.tif 000004
【図３】
2015222374.tif 000005
【図４】
2015222374.tif 000006
【図５】
2015222374.tif 000007
【図６】
2015222374.tif 000008